(57)【要約】  記録プロセス中に書き込みストラテジの１つ以上の書き込みパラメータを最適化する装置及び方法が開示されている。前記最適化プロセスは、ウォーキングタイプの最適化プロセスで実施されてもよく、例えば、所定数のトラックは記録されるたびに最適化プロセスを実行することによって実施されてもよい。前記装置は、記録可能媒体上に光学効果を記録し、記録された前記効果を読み出すことが出来る。前記装置は、前記読み出し信号における前縁及び／又は後縁の平均遷移シフトを決定する手段を含む。前記書き込みストラテジの前記１つ以上の書き込みパラメータの少なくとも１つは、フィードフォワード最適化プロセスにおいて、前記平均遷移シフトを考慮に入れて、最適化される。本発明は、光学装置を制御するＩＣ及びコンピュータコードにも関する。
2008527592.tif 000002
【特許請求の範囲】
【請求項１】
最適化される書き込みストラテジの制御を備える光記録装置であって、 
−  放射線ビームを放射して、記録可能媒体に光学効果を記録する放射源であって、前記放射線ビームが、１つ以上の書き込みパラメータを含む書き込みストラテジに従って放射される放射源と、 
−  記録された前記効果を読み出して、読み出し信号を供給する読み出しユニットであって、前記読み出し信号が、第１幅を持つ第１領域から反射された第１セクションと、第２幅を持つ第２領域から反射された第２セクションとを有する読み出しユニットとを有し、前記第１領域から前記第２領域への遷移が前縁に分類され、前記第２領域から前記第１領域への遷移が後縁に分類され、前記読み出し信号において、前縁及び／又は後縁の平均遷移シフトが決定され、前記書き込みストラテジの前記１つ以上の書き込みパラメータの少なくとも１つが、フィードフォワード最適化プロセスにおいて、前記平均遷移シフトを考慮に入れて、最適化される光記録装置。
【請求項２】
記録可能媒体上に光学効果のシーケンスが記録され、前記記録プロセスの第１部分の間に前記シーケンスの第１部分が読み出され、前記シーケンスの前記第１部分から前記読み出し信号が取得され、前記最適化プロセス中に前記書き込みストラテジが最適化され、前記記録プロセスの第２部分において、最適化された前記書き込みストラテジが用いられる請求項１に記載の光記録装置。
【請求項３】
前記平均遷移シフトが、特定の遷移の前の領域の幅及び／又は次の領域の幅の関数として決定される請求項１に記載の光記録装置。
【請求項４】
前記１つ以上の書き込みパラメータが、出力レベル及び／又はレベル持続期間を含む請求項１に記載の光記録装置。
【請求項５】
前記１つ以上の書き込みパラメータが、前記放射線ビームにおける書き込みパルスのタイミングを含み、前記タイミングがシステムクロックに関連して取得される請求項１に記載の光記録装置。
【請求項６】
前記平均遷移シフトを評価し、規定に従って前記書き込みストラテジの前記１つ以上の書き込みパラメータの少なくとも１つを最適化する処理手段を更に有する請求項１に記載の光記録装置。
【請求項７】
光記録装置を制御する集積回路であり、測定読み出し信号の特定のタイプの前縁及び／又は後縁の平均遷移シフトに基づいて書き込みストラテジの１つ以上の書き込みパラメータを最適化するよう適応される集積回路であって、前記書き込みストラテジが、フィードフォワード最適化プロセスにおいて最適化される集積回路。
【請求項８】
光記録装置を制御するコンピュータ可読コードであって、前記装置が、測定読み出し信号の特定のタイプの前縁及び／又は後縁の平均遷移シフトに基づいて書き込みストラテジの１つ以上の書き込みパラメータを最適化するよう制御され、前記書き込みストラテジが、フィードフォワード最適化プロセスにおいて最適化されるコンピュータ可読コード。
【請求項９】
１つ以上の書き込みパラメータを有する書き込みストラテジを最適化する方法であって、 
−  測定読み出し信号を供給するステップであって、前記読み出し信号が、第１幅を持つ第１領域から反射された第１セクションと、第２幅を持つ第２領域から反射された第２セクションとを有し、前記第１領域から前記第２領域への遷移が前縁に分類され、前記第２領域から前記第１領域への遷移が後縁に分類されるステップと、
−  前記読み出し信号に対応する変調ビットを供給するステップと、
−  前記読み出し信号のタイミング及び前記変調ビットのタイミングを比較することによって、前縁及び／又は後縁の平均遷移シフトを決定するステップとを有し、前記書き込みストラテジの前記１つ以上の書き込みパラメータの少なくとも１つが、フィードフォワード最適化プロセスにおいて、前記平均遷移シフトを考慮に入れて、最適化される方法。
【発明の詳細な説明】
【技術分野】
【０００１】
本発明は、光ディスクに情報を記録するための記録プロセスにおいて書き込みストラテジを最適化する装置及び方法に関する。詳細には、本発明は、前記書き込みストラテジの１つ以上のパラメータの最適化に関する。
【背景技術】
【０００２】
光媒体記録に必要とされるレーザ出力の最適な量は、とりわけ、特定の媒体及び記録速度に依存し、媒体上の位置にさえ依存し得る。適正な出力を供給することは重要である。なぜなら、適正ではないレーザ出力設定は、小さすぎる又は大きすぎる効果などの適正ではない光学効果（optical effect）をもたらすかもしれないからである。記録されるデータは、媒体上のこれらの光学効果のパターンによって表わされることから、これは、情報の不正確な記録をもたらし得る。
【０００３】
現在の世代のＣＤ及びＤＶＤドライブ、並びに次世代のＢＤドライブにおいては、ディスクにデータを書き込む書き込みストラテジ及びレーザ出力は、非常に正確に制御される必要がある。現在、これは、以下の方法で行なわれ得る。ジッタの内側半径における最適化（ＯＰＣ：最適出力制御）後、見つけた最適設定のもとでアシンメトリが測定される。数トラック（例えば約１００トラック）書き込んだ後、最終トラックが戻り読みされ、アシンメトリが測定される。トラックが、見つけた最適量より高いアシンメトリを持つように見える場合には、書き込み出力は低くされ、トラックが少な過ぎるアシンメトリしか持たない場合には、書き込み出力は高められる。この、書き込み出力の半連続適応の方法は、ＷＯＰＣ(walking OPC)と呼ばれる。なぜなら、指定ステップ（位置）でしか書き込み出力が修正されないからである。
【０００４】
現在は、１つのパラメータ（アシンメトリ）しか測定されないことから、適応され得るのも１つのパラメータ（書き込み出力）だけである。この方法においては、内径から外径までの追記型スタック(write-once stack)における必要とされる書き込み出力の変化しか考慮に入れられていない。追記型スタック内の層（例えば、色素層、ミラー層及び誘電体層）の厚さの変化、及び（ＣＡＶモードにおいては一定ではない）異なる線速度のために、必要とされる出力だけでなく、最適書き込みストラテジも変わり得る。現在、これは、市販の装置においては考慮に入れられていない（書き込みストラテジは起動時の最適化ルーチンによって固定されている）。
【０００５】
公開された米国出願第 2004/0130993号において、高速書き込みプロシージャを最適化する方法及び装置が開示されている。様々な動的書き込みストラテジ・シナリオを規定しているテーブルにアクセスし、それによって、レーザ出力レベル及び／又はパルス縁の動的調節を可能にしている。
【０００６】
記憶容量及びアクセス速度に対する絶えず増大する要求は、正確且つ応答性に優れる制御機構の使用を必要とする。それ故、当業界においては、確実に最適な光記録をする改善された光学装置及び改善された方法のニーズがある。
【発明の開示】
【発明が解決しようとする課題】
【０００７】
本発明は、このような、記録プロセス中の最適化された記録を確実にするための改善された手段を備える改善された光学装置を提供しようとするものである。好ましくは、本発明は、単独で又はいずれかの組合せで、上記の又は他の不利な点の１つ以上を改善する又は軽くする。
【課題を解決するための手段】
【０００８】
従って、第１の態様においては、最適化される書き込みストラテジの制御を備える光記録装置であって、 
−  放射線ビームを放射して、記録可能媒体に光学効果を記録する放射源であって、前記放射線ビームが、１つ以上の書き込みパラメータを含む書き込みストラテジに従って放射される放射源と、 
−  記録された前記効果を読み出して、読み出し信号を供給する読み出しユニットであって、前記読み出し信号が、第１幅を持つ第１領域から反射された第１セクションと、第２幅を持つ第２領域から反射された第２セクションとを有する読み出しユニットとを有し、前記第１領域から前記第２領域への遷移(transition)が前縁に分類(label)され、前記第２領域から前記第１領域への遷移が後縁に分類され、前記読み出し信号における前縁及び／又は後縁の平均遷移シフトが決定され、前記書き込みストラテジの前記１つ以上の書き込みパラメータの少なくとも１つが、フィードフォワード最適化プロセスにおいて、前記平均遷移シフトを考慮に入れて、最適化される光記録装置が供給される。
【０００９】
前記読み出し信号は、追記型又は書き換え型の、ＣＤタイプのディスク、ＤＶＤタイプのディスク、ＢＤタイプのディスクなどからの測定光信号のような、測定光信号であり得る。前記読み出し信号は、変調が前記ディスク上にあるバイナリデータを表わす変調信号である。情報は、ディスク上に、例えばマークと呼ばれる光学効果のパターンで記憶される。前記情報の一般的な符号化は、光学効果、及び前記光学効果間のスペース、並びに前記光学効果及び前記スペースの長さで情報が記憶されるランレングス符号化である。前記ランレングス符号化においては、ディスク上のビットパターンは、スペース及び光学効果の間の遷移シフトのタイミングシーケンスによって表わされ得る。 
【００１０】
従って、前記読み出し信号は、光が、第１領域から反射されたのか、又は第２領域から反射されたのかに対応する第１及び第２セクションを有する。前記第１及び第２領域は、相変化型ディスク又は追記型ディスクにおいて、各々、スペース及びマークとして識別され得る。前記第１領域から前記第２領域への遷移は、（長さとも呼ばれる）前記第１及び第２幅によって索引を付けられる前縁に分類され、前記第２領域から前記第１領域への遷移は、前記第２及び第１幅（長さ）によって索引を付けられる後縁に分類される。相変化型ディスクにおいては、前縁は、高反射性領域から低反射性領域への遷移を指し、後縁は、その逆を指す。
【００１１】
書き込みストラテジに従って前記放射源を駆動することによって、光媒体に光学効果が設けられる。一般に、前記光学効果は、多数の書き込みパラメータによって特徴付けられるパルス形状を持つレーザパルスによって書き込まれ、これが書き込みストラテジと呼ばれる。一般的に、前記書き込みストラテジは、レーザ出力をオン及びオフするコマンド、前記レーザ出力を特定のレベルに設定するコマンド、所与の期間の間前記レーザ出力を維持するコマンドなどといった多数の書き込みパラメータによって記述され得る。
【００１２】
前記書き込みストラテジは、所望の特定の光学効果、即ち、前記効果の長さ、及び特定の光学効果を書き込むための書き込みパルスの書き込みパラメータに依存し得る。標準書き込みストラテジには、書き込まれる前記光学効果の結果として得られる長さに従った分類、即ち、Ｉ２−マークの書き込みのためのＩ２−ストラテジ、Ｉ３−マークの書き込みのためのＩ３−ストラテジなどがあり得る。
【００１３】
ディスクが完全には均質ではない、システムが加熱するなどから、光記録可能媒体におけるデータの記録前及び記録中に前記書き込みストラテジを較正する、即ち最適化することは、重要であり、時として、必須でさえあり得る。
【００１４】
アシンメトリしか測定されない現在のシステムにおいては、１つのパラメータしか測定されないことから、書き込み出力しか適応させることが出来ない。しかしながら、前記読み出し信号における前縁及び／又は後縁の前記平均遷移シフトを決定することにより、多数の最適化パラメータが供給され、その結果、前記書き込みストラテジにおいて２つ以上の書き込みパラメータが最適化され得る。前記書き込みストラテジの２つ以上のパラメータを適応させることが出来ることは、有利である。なぜなら、より精密且つより完全な最適化が行なわれ得るからである。例えば、書き込みストラテジの１ステップ最適化を行なうことが出来るかもしれず、例えばＩ２乃至Ｉ９ストラテジといった全書き込みストラテジの１ステップ最適化さえも行なうことが出来るかもしれない。 
【００１５】
前記最適化プロセスは、前記平均遷移シフトに基づいて１つ以上の書き込みパラメータを最適化するフィードフォワード最適化プロセスであり得る。書き込みパラメータが既に最適化されている場合には、前記書き込みパラメータは維持され、従って、この状況における前記最適化プロセスは、前記書き込みパラメータが最適であるか否かを決定する手段である。
【００１６】
本発明は、３０乃至３７ＧＢの範囲内といった、３０ＧＢを超える容量のようなデータ容量の記憶媒体における記録プロセスを最適化することさえ可能にする。なぜなら、このようなデータ密度のための前記平均遷移シフトが供給され得るからである。現在、このような大容量媒体における記録プロセスを最適化する別の方法がないことから、これは有利である。
【００１７】
記録可能媒体上には、光学効果のシーケンスが記録されてもよく、前記記録プロセスの第１部分の間に、前記読み出し信号を得るために、前記シーケンスの第１部分が読み出されてもよい。前記書き込みストラテジは、本発明の最適化プロセスにおいて最適化され、前記記録プロセスの第２部分において用いられ得る。
【００１８】
将来のＢＤ＋Ｒドライブ及びＤＶＤ＋Ｒドライブにおいて現在使用中のＷＯＰＣ法においては、＋／−１００トラック毎に前記書き込み出力がチェックされる。本発明による装置は、ウォーキング最適化型ルーチン(walking optimization type routine)を含み得るが、前記装置においては、内径から外径まで、書き込み出力と、書き込みストラテジとの両方が最適化され得る。本発明によるウォーキング最適化型ルーチンにおいては、多数のトラックなどの光学効果のシーケンスが記録される。前記シーケンスの一部、例えば、最後に書き込まれたトラックが読み出され、前記平均遷移シフトが決定され、前記シーケンスの前記一部に基づいて、即ち、最終トラックに基づいて、最適化プロセスが行なわれる。次いで、最適化された書き込み条件は、例えば、１００トラック（又は任意の適切な数のトラック）が記録された後に、新たな最適化が行なわれるまで、他の記録プロセスにおいて用いられる。この方法においては、全記録プロセスで最適な書き込み品質が確保される。
【００１９】
前記平均遷移シフトは、特定の遷移の前の領域の幅及び／又は次の領域の幅の関数として決定され得る。例えば、所与の前縁のタイミングは、特定の（又は現在の）マークの幅及び前のスペースの長さの関数として決定されてもよく、所与の後縁のタイミングは、特定の（又は現在の）マークの幅及び次のスペースの関数として決定されてもよい。これは、２次元マトリックス(2D matrix)、（現在のマーク、前のスペース）のように配設されるマトリックス要素を備える前縁のためのＬ−マトリックス、及び（現在のマーク、次のスペース）のように配設されるマトリックス要素を備える後縁のためのＴ−マトリックスで表わされ得る。このようにして前記前縁及び前記後縁の前記タイミングを決定することは有利である。なぜなら、それは、直接、ディスク上にある様々なパターンの組み合わせのシステマティックな挙動を供給し、それによって、直接、前記様々なパターンの組み合わせの時間配置(time positioning)におけるシステマティックなエラーを明らかにするからである。従って、このようなマトリックス表示は、単純且つ有用な条件システム（qualification system）を供給する。
【００２０】
前記１つ以上のパラメータは、出力レベル及び／又はレベル持続期間、並びに前記放射線ビームの書き込みパルスのタイミングを含んでもよく、前記タイミングは、システムクロックに関連して得られる。処理手段は、前記平均遷移シフトを評価し、規定(rule)に従って前記書き込みストラテジの前記１つ以上の書き込みパラメータのうちの少なくとも１つを最適化し得る。
【００２１】
所与の遷移の遷移シフトの値を、出力レベル、レベル持続期間、又は前記書き込みパルスのタイミングと直接関連づけ、処理手段によって、規定に従って前記書き込みパラメータを最適化することが出来ることは有利である。前記規定は、所与の遷移シフト、前記遷移シフトの値、及び対応する書き込みパラメータの間の関係を含み得る。
【００２２】
本発明の第２の態様によれば、光記録装置を制御する集積回路（ＩＣ）であり、測定読み出し信号の特定のタイプの前縁及び／又は後縁の平均遷移シフトに基づいて書き込みストラテジの１つ以上の書き込みパラメータを最適化するよう適応されているＩＣであって、前記書き込みストラテジが、フィードフォワード最適化プロセスにおいて最適化されるＩＣが提供される。
【００２３】
前記ＩＣは、本発明の第１の態様による装置に組み込まれてもよく、又はスタンドアロンのＩＣ（又はチップセット）として供給されてもよい。前記スタンドアロンのＩＣは、本発明の最適化プロセスを含めるために光記録装置に組み込まれ得る。
【００２４】
本発明の第３の態様によれば、光記録装置を制御するコンピュータ可読コードであって、前記装置が、測定読み出し信号の特定のタイプの前縁及び／又は後縁の平均遷移シフトに基づいて書き込みストラテジの１つ以上の書き込みパラメータを最適化するよう制御され、前記書き込みストラテジが、フィードフォワード最適化プロセスにおいて最適化されるコンピュータ可読コードが提供される。
【００２５】
前記コンピュータ可読コードは、本発明の最適化プロセスの機能を含めるよう記録装置を制御することが出来るようにＩＣを制御し得る。
【００２６】
本発明の第４の態様によれば、１つ以上の書き込みパラメータを有する書き込みストラテジを最適化する方法であって、 
−  測定読み出し信号を供給するステップであって、前記読み出し信号が、第１幅を持つ第１領域から反射された第１セクションと、第２幅を持つ第２領域から反射された第２セクションとを有し、前記第１領域から前記第２領域への遷移が前縁に分類され、前記第２領域から前記第１領域への遷移が後縁に分類されるステップと、
−  前記読み出し信号に対応する変調ビットを供給するステップと、
−  前記読み出し信号のタイミング及び前記変調ビットのタイミングを比較することによって、前縁及び／又は後縁の平均遷移シフトを決定するステップとを有し、前記書き込みストラテジの前記１つ以上の書き込みパラメータの少なくとも１つが、フィードフォワード最適化プロセスにおいて、前記平均遷移シフトを考慮に入れて、最適化される方法が提供される。
【００２７】
前記方法は、前記第２の態様によるＩＣにおいて実施されてもよく、且つ／又は前記第３の態様によるコンピュータコードは、前記第４の態様による方法ステップを実行するよう適応されてもよい。
【００２８】
下記の実施例を参照して、本発明のこれら及び他の態様、特徴及び／又は利点を説明し、明らかにする。ほんの一例として、図面を参照して、本発明の実施例を記載する。
【発明を実施するための最良の形態】
【００２９】
図１には、光記憶媒体からの情報の読み出し及び／又は光記憶媒体への情報の書き込みが可能な光記憶装置１が概略的に図示されている。
【００３０】
実際の光記憶装置は、様々な機能を持つ多数の素子を有するが、ここには少数の素子しか図示されていない。ディスク１１を回転させるため、及び光ピックアップユニット５の動きを制御するためにモータ手段８、１０があり、故に、光スポット３に焦点を合わせ、ディスクの所望の位置に光スポット３を配置することが出来る。光ピックアップユニットは、多数の光学素子によってディスクに焦点を合わせられ得るレーザビームを放射するレーザ６を含む。記録モードにおいては、焦点を合わせられたレーザ光は、光ディスクに物理的変化が与えられ得るように、即ち、ディスク上に光学効果が設けられるように、十分に強いであろう。他の例においては、読み出しモードにおいては、レーザ出力は、物理的変化を引き起こすのには不十分であり、ディスク上の光学効果を読み出すために、反射レーザ光が、光検出器７によって検出される。 
【００３１】
本発明においては、光記録媒体からの読み出し信号は、光検出器７によって調べられるような信号であってもよく、前記信号は、専用ユニット（図示せず）又は処理手段４のいずれかによって、他の処理に適した形態に変換され得る。
【００３２】
記憶装置の制御は、モータ制御装置９及び光学部品制御装置２によって図示されているようなハードウェア実装によって行なわれ得る。更に、マイクロプロセッサ制御手段４もある。マイクロプロセッサ制御手段（例えば集積回路（ＩＣ）手段）は、ハードワイヤードの処理手段と、ソフトウェア処理手段との両方を含んでもよく、故に、例えばユーザは、ハイレベル制御ソフトウェア(high-level control software)などによって、装置の動作に影響を及ぼし得る。ハイレベル制御設定の例は、書き込みストラテジにおける、記録モードの放射レーザ出力のパルス形状の制御を含む。 
【００３３】
光学効果は、中央から外側へ螺旋形を描くトラックに沿って並べられる。データは、効果と、様々なランレングスの効果の間のスペースとで記憶される、即ち、様々な幅（長さ）の効果と、スペースとで記憶される。所与のディスクの最適なパフォーマンスに重要なのは、全てのマーク及びスペースが整数ステップライク(integer step like)であることである。マーク及びスペースの長さがチャネルビットの長さのぴったりの倍数ではない場合、これは、最適な状況からのずれとみなされ、ビット検出パフォーマンスの低下をもたらすであろう。 
【００３４】
図２は、光信号からの一連のチャネルビットを図示している。一連のチャネルビット２０は、スペース又は高反射領域である、第１幅２１１を持つ第１領域から反射された光に対応する第１セクション２１と、マーク又は低反射領域である、第２幅２２１を持つ第２領域から反射された光に対応する第２セクション２２とを有する。第１領域から第２領域への遷移は前縁２３に分類され、第２領域から第１領域への遷移は後縁２４に分類される。 
【００３５】
実際のディスクにおいては、高反射（スペース）から低反射（マーク）への遷移は、必ずしも正しい位置にあるわけではない。中には、左側（時間的に早い＝定義により負）過ぎるものも、右側（遅過ぎる＝正）過ぎるものもある。これは、測定縁位置を示す点線２７によって図示されている。図においては、時間軸２８が、横軸として図示されており、時間軸は、所謂１Ｔ（＝１チャネルビット）の解像度(resolution)で離散化されている。理想的な信号の場合は、遷移は、１Ｔマークの上に位置するであろう。
【００３６】
以下に本発明の実施例を記載する。光記録装置の実施例は、最適化される書き込みストラテジの制御を備える。
【００３７】
（予測可能な挙動を備える）システマティックである縁のシフトは、書き込みストラテジにおいて補償され得る。マークは、シフトされ得る前縁及び後縁を持つ。これらの縁のシフトは、当然、（現在の）マークの長さ（Ｉｃｍ）の関数である。更に、前縁の場合には、例えば熱履歴のために、前のスペースの長さ（Ｉｐｓ）の影響があり得る。この影響は、書き込みチャネルにおけるシンボル間干渉（ＩＳＩ）とみなされ得る。後縁の場合は、次のスペース（Ｉｎｓ）の影響があり得る。シフトは、前縁のためのマトリックス要素Ｌ（ｃｍ、ｐｓ）と、後縁のためのマトリックス要素Ｔ（ｃｍ、ｎｓ）とを持つ２次元マトリックスとして書かれ得る。スペースは、書き込まれたマークの間に自動的に納まることから、処理される必要が無い。
【００３８】
光ディスクにおいては、マークと、前／次に隣接するスペースとの様々な組み合わせの平均遷移シフトが測定され得る。追記型ディスクにおいて公称書き込みストラテジ(nominal write strategy)用いて測定した場合の、遷移シフトのマトリックス表示の例が図３に示されている。
【００３９】
図３には、全ての前縁のシフト（図３Ａ）及び後縁のシフト（図３Ｂ）が示されており、現在のマーク（ｘ軸）と、前／次のスペース（ｙ軸）との全ての組み合わせに対して、点３０が描かれている。シフトがない場合、点は、ちょうど交点３１上に見られ、正のシフトがある（遅過ぎる）場合、交点の右側３２に見られ、負のシフトがある（早過ぎる）場合、この交点の左側３３に見られる。図３に図示されているようなマトリックスグラフは、最後に書き込まれたトラックから得られ、前縁及び後縁のシフトは、最後に書き込まれたトラックにおいて測定される遷移の平均シフトを表わす。この測定に基づいて、書き込みストラテジを補償することが出来る。この補償がどのようになされるべきかは、書き込みプロセスの線形性／非線形性に依存し得る。 
【００４０】
ウォーキング最適化法においては、通常、ディスクの予約領域において書き込みストラテジが最適化される。次いで、システムは、書き込みを開始することが出来る。例えば１００トラック書き込んだ後、システムは、ジャンプして１トラック戻り、最後に書き込まれたトラックの品質を分析する。ディスクが完全には均質ではない、システムが加熱するなどから、書き込みパフォーマンスを改善するには少しばかり書き込みストラテジを適応させることが必要とされ得る。この処理は１００トラック毎に行なわれ、この方法においては、ディスクは、フルに書き込まれ得る。通常、最後に書き込まれたトラックを読み出す場合に１つのパラメータしか測定されないことから、書き込み出力しか適応させることが出来ないが、全ての前縁及び後縁の遷移のシフトを供給することによって、書き込みストラテジの多くのパラメータを適応させることが可能である。 
【００４１】
本発明のアプリケーションに対する他の洞察を得るために、書き込みストラテジを少しだけ変え、ＬＴ−マトリックスにおける影響について論じる。
【００４２】
まず、追記型ディスクにおける書き込みストラテジの最適化について論じる。Ｔのｘ／１６早過ぎる又は遅過ぎる前縁／後縁を補償するためには、ディスクにおいて量ｘ／Ｔだけ前縁又は後縁を動かすために、書き込みストラテジがどのくらい変えられるべきかが、決定されるべきである。これを調査するため、Ｉ４の書き込みストラテジが変えられる。Ｉ４の書き込みパルス４０は図４Ａに図示されている。
【００４３】
Ｉ４マークストラテジの第１パルスＰ１Ａが変えられる場合、Ｉ４の前縁５０は、図５に図示されているように動く。この図には、第１パルスの開始位置が動かされる状況４１の場合の、第１パルスの開始位置に対する縁位置（公称のもの(nominal)に対する遷移のシフト）が図示されている。Ｔの１／１６遅いパルス開始の場合は、ディスクにおいてＴの約３／１６だけ縁のシフトをもたらすことが分かり得る。レーザドライバが十分な分解能を持つ（Ｔの１／４０又はそれより良い分解能が達成可能であり得る）場合には、前縁を厳密に正しい位置に置くことが可能である。第１パルスが、より遅く開始し、同じ時間に停止する場合、追記型システムにはより少ない電力しか入れられない。これは、左側に動く（時間的により早い）後縁をもたらし得る。これは、図５において５１と表示されている線によって示されている測定値により、確かめられる。しかし、このプロセスの傾きは小さいため、前縁は、後縁と略々無関係に修正され得る。（更に、毎最適化ステップ間の縁シフトが小さい状況においては、クロストークも非常に小さい。）縁位置が第１パルスの長さに非常に線形依存することが分かる。線形性からの小さなずれは、縁シフトが決定され得る精度の基準ととらえられ得る。 
【００４４】
Ｉ４マークストラテジの最終パルスＰＬＡの長さも変更４２され得る。図６には、最終パルスの長さに対するＩ４マークの後縁のシフト６０が図示されている。この場合には、前に、前縁に対するクロストークが観察されない（このスタックは後熱(post-heat)を受けない）。
【００４５】
上記では、追記型システムの例が示されているが、書き換え型（ＲＥ）の書き込みストラテジも、ウォーキング最適化型の方法で適応させることができ、故に、書き込みストラテジは、一定角速度モードで書き込んでいる間に適応することが出来る。ＲＥにおける書き込みストラテジの補償は、以下の方法で達成され得る（ＲＥ−書き込みストラテジの例は、図４Ｂに示されている）。第１パルスＰ１Ｂを動かすことによって、１対１のようにして前縁を補償することが出来る。最終書き込みパルスＰＬＢと、消去パルスレベルの開始とを１対１の割合で動かすことによって後縁はシフトされ得る。図７には、本発明の実施例を図示するフローチャート７０が示されている。第１ステップ７１においては、例えば、ディスクの予約領域においてテストを行なうことによって、初期書き込みパラメータ（ＰＩＮＩ）が供給される。これらのパラメータを持つと、システムは、第２ステップ７２に図示されているようにディスクへのデータの書き込みを開始することが出来る（ＷＩＮＩ）。初期パラメータは、ＬＴ法、即ち、遷移シフトの決定から決定され得る。
【００４６】
多くのトラック、例えば１００トラック書き込んだ後、システムは、次のステップ７３において、ジャンプして１トラック戻り（Ｒ−１）、この最終トラックを読み出す。最後に書き込まれたトラックの品質がＬＴ法によって分析７４される。書き込みストラテジは最適化７５され、最適化された書き込みパラメータ（ＷＬＴ）を用いて、次のブロックのトラック（ここでも、例えば１００トラック）が書き込まれる。最適化された書き込みパラメータを用いた１ブロックのトラックの書き込み７６の後、システムは、再度、最後に書き込まれたトラックを読み出し７３、全てのデータがディスクに供給される７７まで、最適化プロシージャを続ける。
【００４７】
好ましい実施例に関連して本発明を説明したが、ここに記載した特定の形態に限定されるよう意図したものではない。もっと正確に言えば、本発明の範囲は、添付している特許請求の範囲によってしか限定されない。
【００４８】
このセクションには、本発明の明瞭且つ完全な理解を与えるため、限定ではなく、説明の目的で、特定の処理ステップ、データ表示、特定のパラメータなどといった、開示実施例の或る特定の細部が記載されている。しかしながら、この開示の範囲及び精神から大きくは外れない、ここに記載されている細部に厳密には従わない他の実施例で本発明が実施され得ることは、当業者には容易に理解されるであろう。更に、これに関連して、簡潔且つ明瞭にする目的で、不必要な詳述及びあり得る混乱を避けるため、よく知られている装置、回路及び方法の詳細な説明は省略されている。
【００４９】
特許請求の範囲には参照符号が含まれているが、参照符号を含めているのは、明瞭さだけのためであって、特許請求の範囲を限定するものとして解釈されるべきではない。
【図面の簡単な説明】
【００５０】
【図１】光記憶媒体からの情報の読み出し及び／又は光記憶媒体への情報の書き込みが可能な光記録装置を概略的に図示する。
【図２】光信号からの一連のチャネルビットを概略的に図示する。
【図３Ａ】マークのランレングスからスペースのランレングスへの遷移のマトリックスグラフを示す。
【図３Ｂ】マークのランレングスからスペースのランレングスへの遷移のマトリックスグラフを示す。
【図４Ａ】マーク書き込みストラテジの概略図を示す。
【図４Ｂ】マーク書き込みストラテジの概略図を示す。
【図５】縁位置（遷移シフト）を、第１書き込みパラメータの関数として図示する。
【図６】縁位置（遷移シフト）を、第２書き込みパラメータの関数として図示する。
【図７】本発明の実施例のフローチャートを図示する。
【図１】
2008527592.tif 000003
【図２】
2008527592.tif 000004
【図３Ａ】
2008527592.tif 000005
【図３Ｂ】
2008527592.tif 000006
【図４Ａ】
2008527592.tif 000007
【図４Ｂ】
2008527592.tif 000008
【図５】
2008527592.tif 000009
【図６】
2008527592.tif 000010
【図７】
2008527592.tif 000011
【国際調査報告】
2008527592.tif 000012
2008527592.tif 000013
2008527592.tif 000014